(57)【要約】【課題】印字がされたレシートを滞留すること無く移動させる印字装置のレシートジャム防止機構を提供することを目的とする。【解決手段】感熱ロール紙に印字する印字部と、印字された感熱ロール紙を所定の長さのレシートに裁断するロータリーカッターとこのロータリーカッターの回転作動空間を確保する保護用カバーとからなるカッター部とを具備して構成されたレシート印字発行装置であって、印字済み感熱ロール紙の送り動作時にはその感熱ロール紙が通過可能な間隙を前記ロータリーカッターの回転刃に対向して形成し、感熱ロール紙の裁断時には前記回転刃の回動動作に応じて、前記保護用カバーの形成する空所の内側へ弾性変形する弾性部材ガイドが、その端部を前記保護用カバーのレシート排出側端部に取り付けて構成することを特徴とするレシートジャム防止機構を備えるレシート印字発行装置。【選択図】図１
2008210097.tif 000002
【特許請求の範囲】
【請求項１】
感熱ロール紙に印字する印字部と、印字された感熱ロール紙を所定の長さのレシートに裁断するロータリーカッターとこのロータリーカッターの回転作動空間を確保する保護用カバーとからなるカッター部とを具備して構成されたレシート印字発行装置であって、
印字済み感熱ロール紙の送り動作時にはその感熱ロール紙が通過可能な間隙を前記ロータリーカッターの回転刃に対向して形成し、感熱ロール紙の裁断時には前記回転刃の回動動作に応じて、前記保護用カバーの形成する空所の内側へ弾性変形する弾性部材ガイドが、その端部を前記保護用カバーのレシート排出側端部に取り付けて構成することを特徴とするレシートジャム防止機構を備えるレシート印字発行装置。
【請求項２】
前記弾性部材ガイドは、金属バネ板、ゴム製板、ゴムスポンジ体のいずれかであることを特徴とする請求項１記載のレシート印字発行装置。
【請求項３】
感熱ロール紙に印字する印字部と、印字された感熱ロール紙を所定の長さのレシートに裁断するロータリーカッターとこのロータリーカッターの回転作動空間を確保する保護用カバーとからなるカッター部とを具備して構成されたレシート印字発行装置であって、
印字済み感熱ロール紙の送り動作時には、前記ロータリーカッターの回転刃に対向して、その感熱ロール紙が、通過可能な間隙を形成する剛性を有するレバー体と、
このレバー体を前記間隙を形成する位置に規制するストッパと、
感熱ロール紙の裁断時には、前記回転刃の回動動作に応じて、前記保護用カバーのレシート排出側端部に回転可能に前記レバー体を取り付ける軸ピンと、
前記保護用カバーの形成する空所の内側への前記回動作動の後退に対応する付勢力を、前記軸ピンの周りに配設されて発生する捩りバネ体と、
を具備して構成することを特徴とするレシートジャム防止機構を備えるレシート印字発行装置。
【発明の詳細な説明】
【技術分野】
【０００１】
本発明は、レシート発行機やレジスターなどに用いられる印字装置に係わり、特に印字後のシートカットにおけるレシートジャムを防止する機構に関するものである。
【背景技術】
【０００２】
従来、レシート発行機やレジスターに用いられる一般的な印字装置として、図４にその側方から概略構成を図示する。図４に示すレシート発行機の印字装置では、用紙収容部１２に保持された感熱ロール紙１１を、アイドルローラ１４を有する用紙搬送路１３を介して搬送するとともに、印字部（サーマルヘッド）１７をプラテン（サーマルヘッドと対向して用紙を密着搬送する機構）１６に所定の加圧力で当接させて発熱印字を行い、その後、感熱ロール紙の印字された発行中レシート２２をロータリーカッター部１９の固定刃１９１及び可動刃１９２により切断してレシートとして発行するようにしている（特許文献１を参照。）。
【０００３】
従来構造の図４に示すようなロ−タリーカッターを用いたレシート発行機では、レシートを連続して発行する場合に、先に発行・裁断されたレシートの取り置きや取り忘れなどにより、裁断されたレシート２３は、レシート発行機内部にその一部を残すことになる。
【０００４】
このように、感熱ロール紙を順次印字、それを従来構造のロ−タリーカッターにより裁断し、レシートを発行するレシート発行機では、カッター機構部において、発行済みレシートが機械内部の保護カバーに滞留すると、次々発行されるレシートの先端と滞留しているレシートの後端の重なる部分において、図５で図示する衝突Ｘ２２ｘが発生する。
【０００５】
図４に示すような従来構造のカッター機構部においては、図５に示すようなレシート発行部の出口に滞留している発行済みの裁断されたレシート２３と、発行中レシート２２が、カッター機構内部、特に保護カバー２５と固定刃１９１が形成するカッター後部空所２４で、衝突することにより、発行中レシートのレシートジャムを発生するという問題がある。
【特許文献１】特開平１１−９９７１５号公報
【発明の開示】
【発明が解決しようとする課題】
【０００６】
レシート発行機やレジスターなどに用いられる印字装置におけるレシートジャムの発生に対し、解決しようとする問題点は、発行中、若しくは裁断されたレシートが、カッター後部の隙間空間で、衝突、或いは滞留する点である。
【０００７】
本発明は、上記問題に鑑みてなされたもので、レシート発行機などにおいて、印字された発行中のレシートが通過するロータリーカッターの回転刃の移動する空間部分において、レシートを滞留させること無く移動させる印字装置のレシートジャム防止機構を提供することを目的とする。
【課題を解決するための手段】
【０００８】
上記の目的を達成するために、本発明の請求項１のレシート印字発行装置は、印字済み感熱ロール紙の送り動作時にはその感熱ロール紙が通過可能な間隙を前記ロータリーカッターの回転刃に対向して形成し、感熱ロール紙の裁断時には前記回転刃の回動動作に応じて、前記保護用カバーの形成する空所の内側へ弾性変形する弾性部材ガイドが、その端部を前記保護用カバーのレシート排出側端部に取り付けて構成することを特徴とするレシートジャム防止機構を備えるものを提供する。
【０００９】
さらに、本発明の請求項２のレシート印字発行装置においては、前記弾性部材ガイドは、金属バネ板、ゴム製板、ゴムスポンジ体のいずれかであることを特徴とするものを提供する。
【００１０】
また、本発明の請求項３のレシート印字発行装置は、印字済み感熱ロール紙の送り動作時には、前記ロータリーカッターの回転刃に対向して、その感熱ロール紙が、通過可能な間隙を形成する剛性を有するレバー体と、このレバー体を前記間隙を形成する位置に規制するストッパと、感熱ロール紙の裁断時には、前記回転刃の回動動作に応じて、前記保護用カバーのレシート排出側端部に回転可能に前記レバー体を取り付ける軸ピンと、前記保護用カバーの形成する空所の内側への前記回動作動の後退に対応する付勢力を、前記軸ピンの周りに配設されて発生する捩りバネ体とを具備して構成することを特徴とするレシートジャム防止機構を備えるものを提供する。
【発明の効果】
【００１１】
本発明の印字装置のレシートジャム防止機構によれば、レシート発行機などの内部のロータリーカッター部分で生じるレシートジャムを大幅に低減することができ、安定したレシート発行が行える。
【発明を実施するための最良の形態】
【００１２】
以下、本発明の実施形態について図面を用いて説明する。
【００１３】
（第1の実施例）
図1は、本発明の第1の実施形態のレシート発行機の印字装置の印字機構部、及びカッター機構部の概略構成、並びにレシートジャム防止機構を示している。図２は、本実施形態であるカッター機構部及びレシートジャム防止機構の詳細な構成を示している。
【００１４】
図１に示すように、この印字機構部では、用紙収容部１２に備えられた感熱ロール紙１１の端部が、用紙搬送路１３に配置されているアイドルローラ１４を介して、プラテン（サーマルヘッドと対向して用紙を密着搬送する機構）部１６に案内される。プラテン部１６では、アイドルローラ１４より案内される感熱ロール紙１１が、印字（サーマルヘッド）部１７の印字位置に、駆動ローラからなるプラテンローラ１６１により、搬送、挿入される。プラテンローラ１６１は、図示していないギア等の動力伝達手段により、同じく図示していない駆動モータに連結されて、所定の回転動作により、感熱ロール紙１１の供給を制御する。さらに、印字部１７は、多数個の発熱素子を有するサーマルヘッド１７１で構成されて、図示していない印字ドライバからの印字データに応じて発熱素子を選択的に発熱させ、感熱ロール紙１１上に熱転写方式の印字を行なう。
【００１５】
図１、並びに図２に詳細を示すカッター機構部では、印字部１７で印字された感熱ロール紙１１の搬送、排出先には、裁断手段としてカッター部１９が配置されている。このカッター部１９は、ロータリーカッターと呼ばれて、回転刃１９２と固定刃１９１で構成されている。この回転刃１９２は、予め決められているレシート長さを裁断するために所定の回転角度で、矢印１９４で示す往復動作可能なように回転支持されている。また、この固定刃１９１と回転刃１９２は、印字部１７によるレシート印字動作時には、レシートの感熱ロール紙１１端部が通過可能な隙間２１を設けて、印字動作を完了し、この隙間２１を通過した感熱ロール紙１１が所定の長さとなった後、回転刃１９２の矢印１９４で示す回動動作により、感熱ロール紙１１を所定の長さに裁断してレシートとする。
【００１６】
本実施形態では、図２に示すように、固定刃１９１の刃先より少し高い位置で、すなわち回転刃１9２からは間隙２１ａを有し、回転刃１９２の回転上昇に対応して弾性変形する弾性部材ガイド３０が、回転刃１９２の上面に対向して、その一端をカッター部１９の保護カバー２５の端部に固定されている。この構成により、印字済みの感熱ロール紙１１を裁断するために、隙間２１を通過した発行中レシート（感熱ロール紙１１の先頭部分）２２の進行方向は、回転刃１９２の上面と、この上面に対向する弾性部材ガイド３０とにより抑制されて、レシートの排出口側である弾性部材ガイド３０の固定端の方向に確実に誘導される。
【００１７】
この感熱ロール紙１１の先端部の確実な排出口側への移動の後、前述のロータリーカッターの回転刃１９２と固定刃１９１による所定の長さに裁断が行われて、レシートが発行される。発行されたレシート２３は、図２に図示するように、ロータリーカッターの裁断位置直後から保護カバー２５の出口までの長さLを機械内部に残した状態で停止する。通常は、機械外部に排出された発行済みレシートを手作業により機械外部に取り出される。あるいは、出口付近に設けた図示していない受け皿に落下することになる。
【００１８】
裁断が完了すると、回転刃１９２が元の間隙２１を有する位置へ回転復帰すると共に、回転刃１９２の回転上昇に対応して弾性変形していた弾性部材ガイド３０も、間隙２１ａを有して回転刃１９２の上面に対向する元の位置へ復帰する。この後、カッター部１９は、次の印字済みのレシートが、裁断のために進入して来るまで待機する。
【００１９】
本実施形態によれば、弾性部材ガイド３０で構成されたレシート誘導する部材を設けることにより、レシート間の衝突が発生しても、この弾性部材ガイド３０が保護カバー２５のカッター後部空所２４に発行中レシート２２を進行させることなく、所定の排出が可能となり、レシートジャムを防止することができる。
【００２０】
なお、図1及び図２に図示したレシートジャム防止機構の弾性部材ガイド３０の構成は弾性部材として金属等の板バネを用いた場合の構成例で説明したが、この弾性部材として弾性範囲内で、回転刃１９２の回転上昇と共に変形し、回転刃１９２の始動位置への復帰と共に元の形状に戻るゴム材やスポンジ等の材料で構成可能なことはいうまでも無い。
【００２１】
（第２の実施例）
図３は、本発明の第２の実施形態に係る印字装置のレシートジャム防止機構の構成を図示すもので、図１と同一部分には、同符号を付して、その説明を省略する。
【００２２】
図３に示すレバーガイド３１は、金属またはプラスチック等の剛性を持ったレバー３２と、このレバー３２が回転刃１９２の回転動作に応じて回転及び復帰の動作を行う時に反力を付勢する捩じりコイルバネ３３、及びこのねじりバネ３３を支持するとともにレバー３２の回転軸となるピン３４と、レバー３２の捩じりコイルバネ３３による展開を所定の位置で阻止、規制するストッパ３５で構成する。このレバーガイド３１は、そのピン３４をカッター部１９の保護カバー２５の端部に軸として取り付け固定されている。
【００２３】
本実施形態では、ロータリーカッターによる裁断の直前では、レバー３２が固定刃１９１の刃先より少し高い位置で、すなわち回転刃１9２からは間隙２１ａを成すストッパ３５の位置まで捩じりコイルバネ３３により付勢されて静止、待機する。
【００２４】
回転刃１９２の起動によりレシートの裁断が開始されると、回転刃１９２の回転上昇に対応して捩じりコイルバネ３３により付勢されるレバー３２が、保護カバー２５の端部にピン３４により固定されて、回転刃１９２と共に押し上げられるように、レシートを挟み込んで移動する。
【００２５】
これにより、この感熱ロール紙１１の裁断のために、隙間２１を通過した発行中レシート（感熱ロール紙１１の先頭部分）の進行方向は、回転刃１９２の上面と、この上面に対向するレバー３２とにより抑制されて、レシートの排出口側であるレバー３２の固定端の方向に確実に誘導される。
【００２６】
この感熱ロール紙１１の先端部の確実な排出口側への移動の後、前述のロータリーカッターの回転刃１９２と固定刃１９１による所定の長さに裁断が行われて、レシートが発行される。発行されたレシート２３は、図２に図示するように、ロータリーカッターの裁断位置直後から保護カバー２５の出口までの長さLを機械内部に残した状態で停止する。通常は、機械外部に排出された発行済みレシートを手作業により機械外部に取り出されることになる。
【００２７】
裁断が完了すると、回転刃１９２が元の間隙２１を有する位置へ回転復帰すると共に、回転刃１９２の回転上昇に対応して移動したレバー３２も、間隙２１ａを有して回転刃１９２の上面に対向する元の位置へ復帰する。この後、カッター部１９は、次の印字済みのレシートが、裁断のために進入して来るまで待機する。
【００２８】
次の印字済みのレシート２２（感熱ロール紙１１の先頭部分）が、固定刃１９１と回転刃１９２の形成する隙間２１、さらには、レバー３２がストッパ３５に規制されて固定刃１９１と成す間隙２１ａを、プラテンローラ１６１により送り出される。このとき、先に発行されたレシートが、取り去られずに残留していても、レバー３２及び固定刃１９１の対向する平面により進行方向が規制されるので、印字済みのレシート２２（感熱ロール紙１１の先頭部分）は、残留するレシートに抗すること無く所定のレシート排出口へ確実に移動する。
【００２９】
本実施形態によれば、レシート誘導するレバー３２及び回転刃１９２の上面で、印字済みのレシートの進行方向を規制するよう送出路を設けることにより、レシート間の衝突が発生しても、保護カバー２５のカッター後部空所２４に発行中レシートが進入することなく、所定のシート排出が可能となり、レシートジャムを防止することができる。
【００３０】
また、本実施形態によれば、発行中レシートと接触するレバー３２を剛性持たせた部材で構成することにより、大きな負荷荷重が作用がした場合でもその機能を維持する、或いは摩擦係数の小さな部材で構成して、送出における移動抵抗を軽減するなどの部材特性の選択自由度を高めて、長期間に亘って経時変化することなく、安定したレシートジャム防止を可能とすることができる。
【図面の簡単な説明】
【００３１】
【図１】本願実施形態の印字機構部、カッター機構部、レシートジャム防止機構の概略構成図。
【図２】本実施形態のカッター機構部及びレシートジャム防止機構の詳細構成図。
【図３】他の実施形態のカッター機構部及びレシートジャム防止機構の詳細構成図。
【図４】従来のレシート発行機やレジスターの一般的な印字装置の概略構成図。
【図５】従来のカッター機構部における衝突Ｘが発生し、レシートジャムの状況図。
【符号の説明】
【００３２】
１１・・・感熱ロール紙、
１２・・・用紙収容部、
１３・・・用紙搬送路、
１４・・・アイドルローラ、
１６・・・プラテン（用紙搬送機構）部、
１７・・・印字（サーマルヘッド）部、
１９・・・ロータリーカッター部、
２１、２１ａ・・・隙間、
２２・・・発行中レシート、
２２ｘ・・・発行中レシートの衝突Ｘ、
２３・・・発行された（裁断された）レシート、
２４・・・カッター後部空所、
２５・・・保護カバー、
３０・・・弾性部材ガイド、
３１・・・レバーガイド、
３２・・・レバー、
３３・・・捩じりコイルバネ、
３４・・・ピン、
３５・・・ストッパ、
１６１・・・プラテンローラ、
１７１・・・サーマルヘッド、
１９１・・・固定刃、
１９２・・・回転刃、
１９４・・・回転刃の動作を示す矢印。
【図１】
2008210097.tif 000003
【図２】
2008210097.tif 000004
【図３】
2008210097.tif 000005
【図４】
2008210097.tif 000006
【図５】
2008210097.tif 000007